(57)【要約】【課題】  ＯＬＴにおけるＯＮＵの収容台数を高めることができるＰＯＮ中継装置及びＰＯＮシステムを得ることを目的とする。【解決手段】  任意のＯＮＵからＶＣコネクションを通じて光信号を受信すると、その光信号を電気信号に変換して待ち合わせバッファ部１４に格納する一方と、ＯＬＴ４からＶＰコネクションを通じて信号送信要求を受信すると、その待ち合わせバッファ部１４に格納されている電気信号を光信号に変換し、その光信号をＶＰコネクションを通じてＯＬＴ４に送信する。【選択図】        図１
2005203868.tif 000002
【特許請求の範囲】
【請求項１】
複数の網終端装置とＶＣコネクションを介して接続され、任意の網終端装置からＶＣコネクションを通じて光信号を受信すると、その光信号を電気信号に変換してバッファに格納する受信手段と、局側装置とＶＰコネクションを介して接続され、上記局側装置からＶＰコネクションを通じて信号送信要求を受信すると、上記バッファに格納されている電気信号を光信号に変換し、その光信号をＶＰコネクションを通じて上記局側装置に送信する送信手段とを備えたＰＯＮ中継装置。
【請求項２】
局側装置からＶＰコネクションを通じて光信号を受信すると、その光信号を終端して転送先の網終端装置を識別し、その網終端装置に対応するＶＣコネクションを通じて、その光信号を転送先の網終端装置に転送する転送手段を設けたことを特徴とする請求項１記載のＰＯＮ中継装置。
【請求項３】
送信手段は、複数の網終端装置に係る電気信号がバッファに格納されている場合、優先度が高い網終端装置に係る電気信号から順番に光信号に変換して局側装置に送信することを特徴とする請求項１または請求項２記載のＰＯＮ中継装置。
【請求項４】
受信手段は、光信号を電気信号に変換してバッファに格納する際、その電気信号のデータ量が送信元の網終端装置に対するデータ割当量を超過している場合、その電気信号の超過分を廃棄することを特徴とする請求項１から請求項３のうちのいずれか１項記載のＰＯＮ中継装置。
【請求項５】
光信号を送信する複数の網終端装置と、上記複数の網終端装置から送信される光信号を収集する際に信号送信要求を送信する局側装置と、上記複数の網終端装置の中の任意の網終端装置からＶＣコネクションを通じて光信号を受信すると、その光信号を電気信号に変換してバッファに格納する一方と、上記局側装置からＶＰコネクションを通じて信号送信要求を受信すると、上記バッファに格納されている電気信号を光信号に変換し、その光信号をＶＰコネクションを通じて上記局側装置に送信するＰＯＮ中継装置とを備えたＰＯＮシステム。
【請求項６】
ＰＯＮ中継装置は、局側装置からＶＰコネクションを通じて光信号を受信すると、その光信号を終端して転送先の網終端装置を識別し、その網終端装置に対応するＶＣコネクションを通じて、その光信号を転送先の網終端装置に転送することを特徴とする請求項５記載のＰＯＮシステム。
【請求項７】
ＰＯＮ中継装置は、複数の網終端装置に係る電気信号をバッファに格納している場合、優先度が高い網終端装置に係る電気信号から順番に光信号に変換して局側装置に送信することを特徴とする請求項５または請求項６記載のＰＯＮシステム。
【請求項８】
ＰＯＮ中継装置は、光信号を電気信号に変換してバッファに格納する際、その電気信号のデータ量が送信元の網終端装置に対するデータ割当量を超過している場合、その電気信号の超過分を廃棄することを特徴とする請求項５から請求項７のうちのいずれか１項記載のＰＯＮシステム。
【請求項９】
所定の波長の光信号を電気信号に変換する第１の光受信部と、電気信号を所定の波長の光信号に変換する第１の光送信部と、ＶＣコネクションから光信号を受け取ると所定の波長の光信号を分離して上記第１の光受信部に出力する一方、上記第１の光送信部から所定の波長の光信号を受け取ると多重化してＶＣコネクションに出力する第１の波長多重分離部と、上記第１の光受信部及び上記第１の光送信部で処理される電気信号の終端を実施する第１のプロトコル終端部と、上記第１のプロトコル終端部で終端を処理された電気信号を格納するバッファ部と、所定の波長の光信号を電気信号に変換する第２の光受信部と、電気信号を所定の波長の光信号に変換する第２の光送信部と、ＶＰコネクションから光信号を受け取ると所定の波長の光信号を分離して上記第２の光受信部に出力する一方、上記第２の光送信部から所定の波長の光信号を受け取ると多重化してＶＰコネクションに出力する第２の波長多重分離部と、上記第２の光受信部及び上記第２の光送信部で処理される電気信号の終端を実施する第２のプロトコル終端部とを備え、上記第２の波長多重分離部がＶＰコネクションから光信号を受け取ると、上記第２の光受信部及び上記第１の光送信部で変換して、上記第１の波長多重分離部からＶＣコネクションに出力するとともに、上記第２の波長多重分離部が受け取った光信号に信号送信要求が含まれていると、上記バッファ部に格納されている電気信号を上記第２の光送信部で光信号に変換して、上記第２の波長多重分離部からＶＰコネクションに出力するＰＯＮ中継装置。
【請求項１０】
バッファ部に格納されている電気信号の送信優先順位を判定する優先処理部を備え、第２の光送信部が上記送信優先順位にしたがって上記バッファ部に格納されている電気信号を光信号に変換し、その光信号を第２の波長多重分離部から出力することを特徴とする請求項９記載のＰＯＮ中継装置。
【請求項１１】
第１のプロトコル終端部で終端を実施された電気信号のデータ量とデータ割当量を比較する帯域監視制御部を備え、その電気信号のデータ量がデータ割当量を超過していると、上記帯域監視制御部がその超過分を廃棄することを特徴とする請求項９または請求項１０記載のＰＯＮ中継装置。
【発明の詳細な説明】
【技術分野】
【０００１】
この発明は、１台の局側装置（ＯＬＴ：Ｏｐｔｉｃａｌ  Ｌｉｎｅ  Ｔｅｒｍｉｎａｌ）とＮ台の網終端装置（ＯＮＵ：Ｏｐｔｉｃａｌ  Ｎｅｔｗｏｒｋ  Ｕｎｉｔ）が光ファイバで接続され、１台のＯＬＴとＮ台のＯＮＵがＰＯＮ（Ｐａｓｓｉｖｅ  Ｏｐｔｉｃａｌ  Ｎｅｔｗｏｒｋ）プロトコルにしたがって光信号を送受信するＰＯＮシステムと、１台のＯＬＴとＮ台のＯＮＵが送受信する光信号を中継するＰＯＮ中継装置とに関するものである。
【背景技術】
【０００２】
ＡＴＭ−ＰＯＮ方式についてはＩＴＵ−Ｔ  Ｇ．９８３．１に勧告されており、ＰＯＮシステムでは、ＯＬＴが光ファイバを介して光分岐結合器と接続され、その光分岐結合器が光ファイバを介してＮ台のＯＮＵと接続されている（例えば、特許文献１参照）。
なお、光分岐結合器における光ファイバの分岐数は、ＩＴＵ−Ｔ  Ｇ．９８３．１において、光の損失や論理的な限界などの理由から、最大で３２分岐と規定されている。
また、ＩＴＵ−Ｔ  Ｇ．９８３．１では、ＯＬＴとＯＮＵ間の伝送距離は、最大で２０Ｋｍであると規定されている。
【０００３】
【特許文献１】特開２０００−３６８２８号公報（段落番号［０００９］から［００３３］、図１）
【発明の開示】
【発明が解決しようとする課題】
【０００４】
従来のＰＯＮシステムは以上のように構成されているので、１台のＯＬＴが収容できるＯＮＵの台数が最大で３２台までに制限され、ＯＮＵの台数が３２台を越えると、ＯＬＴを増設する必要がある課題があった。
また、ＯＬＴとＯＮＵ間の伝送距離が最大で２０Ｋｍまでに制限されるため、ＯＮＵがＯＬＴと光信号を送受信できるサービス範囲が狭くなり、サービス範囲を広げるには、ＯＬＴの設置台数を増やす必要がある課題もあった。
【０００５】
この発明は上記のような課題を解決するためになされたもので、ＯＬＴにおけるＯＮＵの収容台数を高めることができるＰＯＮ中継装置及びＰＯＮシステムを得ることを目的とする。
また、この発明は、ＯＬＴの設置台数を増やすことなく、サービス範囲を広げることができるＰＯＮ中継装置及びＰＯＮシステムを得ることを目的とする。
【課題を解決するための手段】
【０００６】
この発明に係るＰＯＮ中継装置は、複数の網終端装置の中の任意の網終端装置からＶＣコネクションを通じて光信号を受信すると、その光信号を電気信号に変換してバッファに格納する一方と、局側装置からＶＰコネクションを通じて信号送信要求を受信すると、そのバッファに格納されている電気信号を光信号に変換し、その光信号をＶＰコネクションを通じて局側装置に送信するようにしたものである。
【発明の効果】
【０００７】
この発明によれば、複数の網終端装置の中の任意の網終端装置からＶＣコネクションを通じて光信号を受信すると、その光信号を電気信号に変換してバッファに格納する一方、局側装置からＶＰコネクションを通じて信号送信要求を受信すると、そのバッファに格納されている電気信号を光信号に変換し、その光信号をＶＰコネクションを通じて局側装置に送信するように構成したので、局側装置における網終端装置の収容台数を高めることができる効果がある。
【発明を実施するための最良の形態】
【０００８】
実施の形態１．
図１はこの発明の実施の形態１によるＰＯＮシステムを示す構成図であり、図において、加入者側の網終端装置（以下、ＯＮＵ：Ｏｐｔｉｃａｌ  Ｎｅｔｗｏｒｋ  Ｕｎｉｔという）１−１〜１−Ｎ，２−１〜２−Ｎ，３−１〜３−２は各種の制御情報やデータを含むＡＴＭセルを光信号に変換し、その光信号を局側装置である伝送路終端装置（以下、ＯＬＴ：Ｏｐｔｉｃａｌ  Ｌｉｎｅ  Ｔｅｒｍｉｎａｌという）４に送信する一方、ＯＬＴ４から送信される光信号を受信する。
ＯＬＴ４はＯＮＵ１−１〜１−Ｎから送信される光信号を収集する場合、信号送信要求をＰＯＮ中継装置８に送信することにより、ＰＯＮ中継装置８から光信号を収集し、その光信号を電気信号に変換して上位網側に送信する。また、ＯＬＴ４はＯＮＵ２−１〜２−Ｎ，３−１〜３−２から送信される光信号を受信して電気信号に変換し、その電気信号を上位網側に送信する。さらに、ＯＬＴ４は上位網側から送信された電気信号を受信すると、その電気信号を光信号に変換し、その光信号をＯＮＵ１−１〜１−Ｎ，２−１〜２−Ｎ，３−１〜３−２に送信する。
【０００９】
光分岐結合器５は光ファイバを介してＯＮＵ１−１〜１−Ｎと接続されるとともに、光ファイバを介してＰＯＮ中継装置８と接続され、ＰＯＮ中継装置８から送信された光信号を分岐してＯＮＵ１−１〜１−Ｎに出力する一方、ＯＮＵ１−１〜１−Ｎから送信された光信号を結合してＰＯＮ中継装置８に出力する。光分岐結合器６は光ファイバを介してＯＮＵ２−１〜２−Ｎと接続されるとともに、光ファイバを介してＯＬＴ４と接続され、ＯＬＴ４から送信された光信号を分岐してＯＮＵ２−１〜２−Ｎに出力する一方、ＯＮＵ２−１〜２−Ｎから送信された光信号を結合してＯＬＴ４に出力する。光分岐結合器７は光ファイバを介してＯＮＵ３−１〜３−２及びＰＯＮ中継装置８と接続されるとともに、光ファイバを介してＯＬＴ４と接続され、ＯＬＴ４から送信された光信号を分岐してＯＮＵ３−１〜３−２及びＰＯＮ中継装置８に出力する一方、ＯＮＵ３−１〜３−２及びＰＯＮ中継装置８から送信された光信号を結合してＯＬＴ４に出力する。
【００１０】
ＰＯＮ中継装置８はＯＮＵ１−１〜１−Ｎの中の任意のＯＮＵから光信号を受信すると、その光信号を電気信号に変換してバッファに格納する一方と、ＯＬＴ４から信号送信要求を受信すると、そのバッファに格納されている電気信号を光信号に変換し、その光信号をＯＬＴ４に送信する。また、ＰＯＮ中継装置８はＯＬＴ４から光信号を受信すると、その光信号を終端して転送先のＯＮＵを識別し、そのＯＮＵに対応するＶＣコネクションを通じて、その光信号を転送先のＯＮＵに転送する。
【００１１】
図２はこの発明の実施の形態１によるＰＯＮ中継装置８を示す構成図であり、図において、波長多重分離部１１はＯＮＵ１−１〜１−ＮとＶＣ（Ｖｉｒｔｕａｌ  Ｃｉｒｔｕｉｔ）コネクションを介して接続され、ＶＣコネクション上の光信号から上りの光信号（ＯＮＵ１−１〜１−Ｎから送信される光信号）の波長（例えば、１．３ミクロンの波長）を検波することにより、ＶＣコネクション上の光信号から上りの光信号を分離して光受信部１２に出力する一方、光送信部１９から送信された下りの光信号をＶＣコネクション上の光信号に多重する。
光受信部１２は波長多重分離部１１から上りの光信号を受けると、その光信号を電気信号に変換する。ＰＯＮプロトコル終端部１３は光受信部１２により変換された電気信号に対するＰＯＮプロトコルの終端を実施し、その電気信号を待ち合わせバッファ部１４に格納する。
なお、波長多重分離部１１、光受信部１２及びＰＯＮプロトコル終端部１３は受信手段を構成している。
【００１２】
波長多重分離部１５はＯＬＴ４とＶＰ（Ｖｉｒｔｕａｌ  Ｐａｔｈ）コネクションを介して接続され、ＶＰコネクション上の光信号から下りの光信号（ＯＬＴ４から送信される光信号）の波長（例えば、１．５ミクロンの波長）を検波することにより、ＶＰコネクション上の光信号から下りの光信号を分離して光受信部１６に出力する一方、光送信部１８から送信された上りの光信号をＶＰコネクション上の光信号に多重する。光受信部１６は波長多重分離部１５から下りの光信号を受けると、その光信号を電気信号に変換する。
ＰＯＮプロトコル終端部１７は光受信部１６により変換された電気信号に対するＰＯＮプロトコルの終端を実施し、その電気信号が信号送信要求であれば、待ち合わせバッファ部１４に格納されている電気信号を光送信部１８に出力する。また、ＰＯＮプロトコル終端部１７は電気信号がＯＮＵ１−１〜１−Ｎに対する送信信号であれば、その電気信号をＰＯＮプロトコル終端部１３に出力する。
光送信部１８はＰＯＮプロトコル終端部１７から出力された電気信号を光信号に変換して波長多重分離部１５に出力する。
なお、波長多重分離部１５、光受信部１６、ＰＯＮプロトコル終端部１７及び光送信部１８は送信手段を構成している。
【００１３】
光送信部１９はＰＯＮプロトコル終端部１３から電気信号を受けると、その電気信号を光信号に変換して波長多重分離部１１に出力する。
なお、波長多重分離部１１，１５、光受信部１６、ＰＯＮプロトコル終端部１３，１７及び光送信部１９は転送手段を構成している。
ただし、ＰＯＮ中継装置８がＯＬＴ４から送信される下り信号を取り扱わない場合には、上記転送手段は不要である。
【００１４】
次に動作について説明する。
ＰＯＮシステムにおけるＰＯＮ中継装置８及びＯＮＵ３−１〜３−２とＯＬＴ４は、図３に示すように、論理的にはＶＰコネクションで接続され、ＰＯＮ中継装置８とＯＮＵ１−１〜１−Ｎは、論理的にはＶＣコネクションで接続されている。
なお、これらの物理的な接続は、図１に示すように、光ファイバを介して接続されている。
【００１５】
まず、加入者側のＯＮＵ１−１〜１−ＮがＡＴＭセルを上位網側に送信する必要がある場合、電気信号であるＡＴＭセルを光信号（以下、上りの光信号という）に変換する。
そして、ＯＮＵ１−１〜１−Ｎは、自己に割り当てられているＶＣコネクションを通じて、上りの光信号をＰＯＮ中継装置８に送信する。即ち、ＯＮＵ１−１〜１−Ｎは、上りの光信号の波長を例えば１．３ミクロンに変調し、上りの光信号をＶＣコネクション上の光信号に多重する。
【００１６】
ＰＯＮ中継装置８の波長多重分離部１１は、ＶＣコネクション上の光信号から上りの光信号の波長（例えば、１．３ミクロンの波長）を検波することにより、ＶＣコネクション上の光信号から上りの光信号を分離して光受信部１２に出力する。
ＰＯＮ中継装置８の光受信部１２は、波長多重分離部１１から上りの光信号を受けると、その光信号を電気信号に変換する。
ＰＯＮ中継装置８のＰＯＮプロトコル終端部１３は、光受信部１２が上りの光信号を電気信号に変換すると、その電気信号に対するＰＯＮプロトコルの終端を実施し、その電気信号を待ち合わせバッファ部１４に格納する。
なお、電気信号は、後述するように、ＰＯＮ中継装置８がＯＬＴ４から信号送信要求を受けるまでの間、待ち合わせバッファ部１４に格納される。
【００１７】
ＯＬＴ４は、ＯＮＵ１−１〜１−Ｎから送信された光信号を収集する必要がある場合、信号送信要求を含むＡＴＭセルを光信号（以下、下りの光信号という）に変換し、ＶＰコネクションを通じて、下りの光信号をＰＯＮ中継装置８に送信する。即ち、ＯＬＴ４は、下りの光信号の波長を例えば１．５ミクロンに変調し、下りの光信号をＶＰコネクション上の光信号に多重する。
なお、ＰＯＮ中継装置８に対する信号送信要求の送信タイミングは、定期的であっても、不定期的であってもよい。
【００１８】
ＰＯＮ中継装置８の波長多重分離部１５は、ＶＰコネクション上の光信号から下りの光信号の波長（例えば、１．５ミクロンの波長）を検波することにより、ＶＰコネクション上の光信号から下りの光信号を分離して光受信部１６に出力する。
ＰＯＮ中継装置８の光受信部１６は、波長多重分離部１５から下りの光信号を受けると、その光信号を電気信号に変換する。
【００１９】
ＰＯＮ中継装置８のＰＯＮプロトコル終端部１７は、光受信部１６が下りの光信号を電気信号に変換すると、その電気信号に対するＰＯＮプロトコルの終端を実施する。
そして、ＰＯＮプロトコル終端部１７は、その電気信号であるＡＴＭセルに信号送信要求が含まれているか否かを判断し、その信号送信要求が含まれていれば、待ち合わせバッファ部１４に格納されている電気信号を光送信部１８に出力する。
【００２０】
ＰＯＮ中継装置８の光送信部１８は、ＰＯＮプロトコル終端部１７から電気信号を受けると、その電気信号を光信号に変換して波長多重分離部１５に出力する。
ＰＯＮ中継装置８の波長多重分離部１５は、光送信部１８から光信号を受けると、ＶＰコネクションを通じて、その光信号をＯＬＴ４に送信する。即ち、波長多重分離部１５は、その光信号の波長を例えば１．３ミクロンに変調し、その光信号をＶＰコネクション上の光信号に多重する。
ＯＬＴ４は、ＰＯＮ中継装置８から光信号を受信すると、その光信号を電気信号に変換し、その電気信号であるＡＴＭセルを上位網側に送信する。
ここでは、ＯＬＴ４が電気信号を上位網側に送信しているが、その光信号を電気信号に変換せずに、その光信号を上位網側に送信するようにしてもよい。
【００２１】
次に、ＯＬＴ４は、上位網側から例えばＯＮＵ１−１宛のＡＴＭセルを受信すると、電気信号であるＡＴＭセルを光信号（以下、下りの光信号という）に変換し、ＶＰコネクションを通じて、下りの光信号をＰＯＮ中継装置８に送信する。即ち、ＯＬＴ４は、下りの光信号の波長を例えば１．５ミクロンに変調し、下りの光信号をＶＰコネクション上の光信号に多重する。
ここでは、ＯＬＴ４が上位網側から電気信号であるＡＴＭセルを受信しているが、上位網側から光信号を受信するようにしてもよい。
また、説明の便宜上、上位網側からＯＮＵ１−１宛のＡＴＭセルを受信するようにしているが、ＰＯＮ中継装置８に収容されているＯＮＵであれば、ＯＮＵ１−１以外のＯＮＵ１−２〜１−Ｎを宛先するＡＴＭセルを受信する場合でも、以下に示す処理内容は同様である。
【００２２】
ＰＯＮ中継装置８の波長多重分離部１５は、ＶＰコネクション上の光信号から下りの光信号の波長（例えば、１．５ミクロンの波長）を検波することにより、ＶＰコネクション上の光信号から下りの光信号を分離して光受信部１６に出力する。
ＰＯＮ中継装置８の光受信部１６は、波長多重分離部１５から下りの光信号を受けると、その光信号を電気信号に変換する。
【００２３】
ＰＯＮ中継装置８のＰＯＮプロトコル終端部１７は、光受信部１６が下りの光信号を電気信号に変換すると、その電気信号に対するＰＯＮプロトコルの終端を実施する。
そして、ＰＯＮプロトコル終端部１７は、その電気信号であるＡＴＭセルに信号送信要求が含まれているか否かを判断し、その信号送信要求が含まれていなければ、その電気信号をＰＯＮプロトコル終端部１３に出力する。
この電気信号はＯＮＵ１−１宛のＡＴＭセルであるため、信号送信要求は含まれていない。
【００２４】
ＰＯＮ中継装置８のＰＯＮプロトコル終端部１３は、ＰＯＮプロトコル終端部１７から電気信号を受けると、その電気信号であるＡＴＭセルのヘッダ内のＶＰＩ（Ｖｉｒｔｕａｌ  Ｐａｔｈ  Ｉｄｅｎｔｉｆｉｅｒ）を参照して、そのＡＴＭセルの宛先（この例では、ＯＮＵ１−１）を識別し、ＡＴＭセルの宛先に対応するＶＣコネクションを特定する。
そして、ＰＯＮプロトコル終端部１３は、その電気信号を光送信部１９に出力するとともに、ＡＴＭセルの宛先に対応するＶＣコネクションを波長多重分離部１１に通知する。
【００２５】
ＰＯＮ中継装置８の光送信部１９は、ＰＯＮプロトコル終端部１３から電気信号を受けると、その電気信号を光信号に変換して波長多重分離部１１に出力する。
ＰＯＮ中継装置８の波長多重分離部１１は、光送信部１９から光信号を受けると、ＰＯＮプロトコル終端部１３から通知されたＶＣコネクションを通じて、その光信号をＯＮＵ１−１〜１−Ｎに送信する。即ち、波長多重分離部１１は、その光信号の波長を例えば１．５ミクロンに変調し、その光信号をＶＣコネクション上の光信号に多重する。
【００２６】
ＯＮＵ１−１〜１−Ｎは、上記のようにしてＰＯＮ中継装置８が光信号の送信処理を実施することにより、自己に割り当てられているＶＣコネクションを通じて、その光信号が送信されてきたときは、その光信号を受信して電気信号に変換し、その電気信号であるＡＴＭセルを解析する。
自己に割り当てられていないＶＣコネクションを通じて、その光信号が送信されてきたときは、その光信号を受信せずに廃棄する。
この例では、ＯＮＵ１−１は光信号を受信するが、ＯＮＵ１−２〜１−Ｎは光信号を受信しない。
【００２７】
以上で明らかなように、この実施の形態１によれば、任意のＯＮＵからＶＣコネクションを通じて光信号を受信すると、その光信号を電気信号に変換して待ち合わせバッファ部１４に格納する一方と、ＯＬＴ４からＶＰコネクションを通じて信号送信要求を受信すると、その待ち合わせバッファ部１４に格納されている電気信号を光信号に変換し、その光信号をＶＰコネクションを通じてＯＬＴ４に送信するように構成したので、ＯＬＴ４におけるＯＮＵの収容台数を高めることができる効果を奏する。
即ち、図１に示すように、光分岐結合器７にＯＮＵ３−１〜３−２だけでなく、ＰＯＮ中継装置８を接続するようにすれば、ＰＯＮ中継装置８がＯＮＵ１−１〜１−Ｎを収容することができるため（ＰＯＮ中継装置８は最大で３２個のＯＮＵを収容できる）、実質的には光分岐結合器７の分岐数が最大で６１個（＝３１＋３２個）に増加し、ＯＬＴ４におけるＯＮＵの収容台数が高められる。
【００２８】
また、この実施の形態１によれば、ＰＯＮ中継装置８のＰＯＮプロトコル終端部１３又はＰＯＮプロトコル終端部１７が光信号を電気信号に変換し、その電気信号を一旦終端するように構成したので、ＯＬＴ４からＯＮＵ１−１〜１−Ｎまでの伝送距離が２０Ｋｍを超える場合でも、ＯＬＴ４からＰＯＮ中継装置８までの伝送距離が２０Ｋｍを超えず、ＰＯＮ中継装置８からＯＮＵ１−１〜１−Ｎまでの伝送距離が２０Ｋｍを超えなければ、ＯＬＴ４とＯＮＵ１−１〜１−Ｎが光信号を送受信することができるようになり、その結果、ＯＮＵ４がＯＬＴ１−１〜１−Ｎと光信号を送受信できるサービス範囲を広げることができる効果を奏する。
【００２９】
実施の形態２．
図４はこの発明の実施の形態２によるＰＯＮ中継装置８を示す構成図であり、図において、図２と同一符号は同一または相当部分を示すので説明を省略する。
優先処理部２０はＯＮＵ１−１〜１−Ｎから送信された光信号を変換した電気信号が待ち合わせバッファ部１４に格納されている場合、優先度が高いＯＮＵ１−１〜１−Ｎに係る電気信号から順番にＰＯＮプロトコル終端部１７に出力させるために、ＯＮＵ１−１〜１−Ｎの優先順位をＰＯＮプロトコル終端部１７に通知する。
なお、優先処理部２０は送信手段を構成している。
【００３０】
上記実施の形態１では、ＰＯＮ中継装置８のＰＯＮプロトコル終端部１７が、ＯＬＴ４から送信されたＡＴＭセルに信号送信要求が含まれている場合、待ち合わせバッファ部１４に格納されている電気信号を光送信部１８に出力するものについて示したが、即ち、待ち合わせバッファ部１４に格納されている電気信号の優先順位を考慮せずに、その電気信号を光送信部１８に出力してＯＬＴ４に送信するものについて説明したが、この実施の形態２では、優先度が高いＯＮＵに係る電気信号から順番に光送信部１８に出力してＯＬＴ４に送信するようにしている。
具体的には下記の通りである。
【００３１】
まず、ＰＯＮ中継装置８の待ち合わせバッファ部１４には、上記実施の形態１と同様にして、ＯＮＵ１−１〜１−Ｎから光信号が送信されることにより、その光信号から変換された電気信号が格納されているものとする。
ただし、ＰＯＮプロトコル終端部１３が電気信号を待ち合わせバッファ部１４に格納する際、その電気信号であるＡＴＭセルのヘッダ内のＶＰＩを参照して、そのＡＴＭセルの送信元を識別し、例えば、送信元別に電気信号を格納する。
【００３２】
ＰＯＮ中継装置８の優先処理部２０は、例えば、ＯＮＵ１−１〜１−Ｎの優先順位が規定されているテーブルを格納し、そのテーブルを参照して、ＯＮＵ１−１〜１−Ｎの優先順位をＰＯＮプロトコル終端部１７に通知する。
ＰＯＮ中継装置８のＰＯＮプロトコル終端部１７は、ＯＬＴ４から送信されたＡＴＭセルに信号送信要求が含まれている場合、上記実施の形態１と同様に、待ち合わせバッファ部１４に格納されている電気信号を光送信部１８に出力するが、その際、優先処理部２０から通知されたＯＮＵ１−１〜１−Ｎの優先順位を考慮し、優先度が高いＯＮＵに係る電気信号から順番に取り出して光送信部１８に出力する。
これにより、優先度が低いＯＮＵから送信された光信号が先に待ち合わせバッファ部１４に格納されている場合でも、優先度が高いＯＮＵから送信された光信号が先にＯＬＴ４に送信されることになる。
【００３３】
以上で明らかなように、この実施の形態２によれば、ＯＮＵ１−１〜１−Ｎに係る電気信号が待ち合わせバッファ部１４に格納されている場合、優先度が高いＯＮＵに係る電気信号から順番に光信号に変換してＯＬＴ４に送信するように構成したので、優先度が高いＯＮＵのＡＴＭセルを優先的に伝送することができる効果を奏する。
【００３４】
実施の形態３．
図５はこの発明の実施の形態３によるＰＯＮ中継装置８を示す構成図であり、図において、図４と同一符号は同一または相当部分を示すので説明を省略する。
帯域監視制御部２１はＰＯＮプロトコル終端部１３が電気信号を待ち合わせバッファ部１４に格納する際、その電気信号であるＡＴＭセルのデータ量が送信元のＯＮＵに対するデータ割当量を超過している場合、そのＡＴＭセルの超過分を廃棄する。
なお、帯域監視制御部２１は受信手段を構成している。
【００３５】
上記実施の形態１，２では、ＰＯＮ中継装置８のＰＯＮプロトコル終端部１３が光受信部１２から電気信号を受けると、その電気信号であるＡＴＭセルのデータ量を問わず、その電気信号を待ち合わせバッファ部１４に格納するものについて説明したが、この実施の形態３では、その電気信号であるＡＴＭセルのデータ量が送信元のＯＮＵに対するデータ割当量を超過している場合、そのＡＴＭセルの超過分を廃棄して、そのデータ割当量だけ待ち合わせバッファ部１４に格納するようにしている。
具体的には下記の通りである。
【００３６】
まず、ＰＯＮ中継装置８の帯域監視制御部２１は、予め、ＯＮＵ１−１〜１−Ｎに対するデータ割当量、即ち、ＯＮＵ１−１〜１−Ｎに対する割当帯域が設定されているものとする。
例えば、ＯＮＵ１−１〜１−Ｎに対してデータ割当量が均等に割り当てられる場合において、全帯域が“１２８”であって、ＯＮＵの台数が３２台であれば、各ＯＮＵには“４”の帯域がデータ割当量として割り当てられる。
【００３７】
ＰＯＮ中継装置８の帯域監視制御部２１は、例えば、光受信部１２がＯＮＵ１−１から送信された光信号を電気信号に変換し、ＰＯＮプロトコル終端部１３が当該電気信号を出力すると、その電気信号であるＡＴＭセルのデータ量と、ＯＮＵ１−１に対するデータ割当量を比較する。
そして、帯域監視制御部２１は、その電気信号であるＡＴＭセルのデータ量がＯＮＵ１−１に対するデータ割当量を下回っていれば、その電気信号のすべてを待ち合わせバッファ部１４に格納する。
しかし、その電気信号であるＡＴＭセルのデータ量がＯＮＵ１−１に対するデータ割当量を超えていれば、そのＡＴＭセルの超過分を廃棄して（例えば、ＡＴＭセルの後半部分のデータを廃棄する）、そのデータ割当量だけ待ち合わせバッファ部１４に格納する。
【００３８】
以上で明らかなように、この実施の形態３によれば、光信号を電気信号に変換して待ち合わせバッファ部１４に格納する際、その電気信号のデータ量が送信元のＯＮＵに対するデータ割当量を超過している場合、その電気信号の超過分を廃棄するように構成したので、ＰＯＮ中継装置８に収容されるＯＮＵ１−１〜１−Ｎの公平性を保つことができる効果を奏する。
【００３９】
なお、この実施の形態３では、帯域監視制御部２１には、ＯＮＵ１−１〜１−Ｎに対する個別のデータ割当量が設定されるものについて示したが、ＯＮＵ１−１〜１−Ｎの全体に対するデータ割当量を設定し、帯域監視制御部２１が任意のＯＮＵから送信された電気信号のデータ量がＯＮＵ１−１〜１−Ｎの全体に対するデータ割当量を超過しているとき、その電気信号の超過分を廃棄するようにしてもよい。
この場合、ＰＯＮシステムが許容する以上のデータ伝送を排除して、ＰＯＮシステムの輻輳を回避することができる効果を奏する。
【図面の簡単な説明】
【００４０】
【図１】この発明の実施の形態１によるＰＯＮシステムを示す構成図である。
【図２】この発明の実施の形態１によるＰＯＮ中継装置を示す構成図である。
【図３】ＰＯＮ中継装置に対するＯＮＵやＯＬＴの論理的な接続関係を示す説明図である。
【図４】この発明の実施の形態２によるＰＯＮ中継装置を示す構成図である。
【図５】この発明の実施の形態３によるＰＯＮ中継装置を示す構成図である。
【符号の説明】
【００４１】
１−１〜１−Ｎ，２−１〜２−Ｎ，３−１〜３−２  ＯＮＵ（網終端装置）、４  ＯＬＴ（局側装置）、５，６，７  光分岐結合器、８  ＰＯＮ中継装置、１１  波長多重分離部（受信手段、転送手段、第１の波長多重分離部）、１２  光受信部（受信手段、第１の光受信部）、１３  ＰＯＮプロトコル終端部（受信手段、転送手段、第１のプロトコル終端部）、１４  待ち合わせバッファ部、１５  波長多重分離部（送信手段、転送手段、第２の波長多重分離部）、１６  光受信部（送信手段、転送手段、第２の光受信部）、１７  ＰＯＮプロトコル終端部（送信手段、転送手段、第２のプロトコル終端部）、１８  光送信部（送信手段、第２の光送信部）、１９  光送信部（転送手段、第１の光送信部）、２０  優先処理部（送信手段）、２１  帯域監視制御部（受信手段）。
【図１】
2005203868.tif 000003
【図２】
2005203868.tif 000004
【図３】
2005203868.tif 000005
【図４】
2005203868.tif 000006
【図５】
2005203868.tif 000007